(57)【要約】  本発明は、本体の上部に送風手段と送風排管を装着して内部の空気を隅の方までまんべんなく外部に排出させ、外部空気を強制的に流入させてコンテナ内部の空気を快適に維持し、これにより家畜の運搬時の防疫機能をしながら、家畜の衛生福祉を最適の状態に維持し、家畜の廃死を防止することができるようにするためのものである。本発明の家畜衛生運送送風装置は、運送手段と連結され、内部に家畜を収容することができる空間が備えられ、両側下部に第１送風口１１０が開放形成された本体１１０、上記本体１００の上端に長さ方向に長く装着され、上記本体１００内部と連通する第２送風口２１０が開放形成された送風通路２００、上記本体１００に装着され、上記送風通路２００と連結される送風手段３００、を含み、上記送風手段３００は、作動時に上記第１送風口１１０と上記第２送風口２１０を介して上記本体１００の内部空気を強制的に送風させることにより、上記本体１００に収容された家畜の防疫と衛生状態を快適に維持し、これにより家畜の廃死を防止する。【選択図】図１
2017507057.tif 000002
【特許請求の範囲】
【請求項１】
運送手段と連結され、内部に家畜を収容することができる空間が備えられ、両側下部に第１送風口（１１０）が開放形成された本体（１００）；
上記本体（１００）の上端に長さ方向に長く装着され、上記本体（１００）内部と連通して下端または側面に形成された第２送風口（２１０）が開放形成された送風通路（２００）；
上記本体（１００）に装着され、上記送風通路（２００）と連結される送風手段（３００）；を含み、
上記送風手段（３００）は、作動時に上記第１送風口（１１０）と上記第２送風口（２１０）を介して上記本体（１００）の内部空気を強制的に送風させることにより、上記本体（１００）に収容された家畜の防疫と衛生状態を快適に維持し、これにより家畜の廃死を防止することを特徴とする家畜運送時の福祉及び斃死防止用運送コンテナ送風装置。
【請求項２】
上記第２送風口（２１０）は多数からなり、送風通路（２００）の長さ方向に沿って相互離隔配置され、上記送風手段（３００）方向に行くほど次第に幅が小くなるように形成されることを特徴とする、請求項１項に記載の家畜運送時の福祉及び斃死防止用運送コンテナ送風装置。
【請求項３】
上記第１送風口（１１０）に装着されて上記第１送風口（１１０）を開閉する開閉カバー（４００）、をさらに含み，
上記開閉カバー（４００）は、上記送風手段（３００）の作動時に上記第１送風口（１１０）を開放することを特徴とする、請求項１項に記載の家畜運送時の福祉及び斃死防止用運送コンテナ送風装置。
【請求項４】
上記送風通路（２００）は、第２送風口（２１０）の前方または後方に送風のための傾斜角が形成されたガイド羽根が形成され、排出が上記ガイド羽根（２６０）によって一側方向に排出されるように形成され、送風通路の端に送風手段（３００）を形成したことを特徴とする、請求項１項に記載の家畜運送時の福祉及び斃死防止用運送コンテナ送風装置。
【請求項５】
上記第１送風口（１１０）は、内部に嵌め込み溝が形成された内部ソケット（１５０）と、上記内部ソケットに脱付着されるように突起が形成された外部ソケット（１9０）と、上記外部ソケットに結合されて外部から吸入される距離が近いほど直径（ｄ，ｄ’ｄ”）が小くなるように配列した多区間吸入管（２５０）を形成したことを特徴とする、請求項１項に記載の軸運送時の福祉及び斃死防止用運送コンテナ送風装置。
【発明の詳細な説明】
【技術分野】
【０００１】
本発明は、家畜衛生運送コンテナ（覆い幕、天幕含む）に設置される送風装置に関する。特に運送手段に装着されて内部の温・湿度の維持、及び有害ガスを強制排出して快適な環境で家畜等を移動させるための運送用送風装置に関する。
【背景技術】
【０００２】
一般的な畜舎で食用として飼育される家畜らは、食生活文化の改善と西欧化していく外食文化の発達にともなってその消費が増加する趨勢であり、これに伴い食用家畜の飼育もまた大量化、企業化されてきている。
【０００３】
このような食用家畜らは、悪臭や汚物等による影響をより受けにくい都心地外郭で主に飼育されている。
【０００４】
そして食用家畜らを飼育する飼育農家では、飼育された家畜を食用または経済的な利益を目的として、屠殺場または家畜市場等に運搬するための家畜運搬手段を必要としている。
【０００５】
一般的な家畜運搬手段は、外部遮断幕がなく運送時に悪臭が外部に排出されたり、外観上の嫌悪感を与え得るので、これを防止するために適切にカバーを覆って運搬する場合が多い。
【０００６】
しかし車両及び船舶等を用いて家畜を移動運送時、家畜から出た高い熱と、家畜や内部から発生する各種有害ガスによる家畜斃死を防ぐために、部分的に積載箱を開放する等、めいめいの方法や施設物を設置して家畜を運送している。
【０００７】
このような家畜運送方法は、季節、夏季の暑さや冬季の寒風に関係なく、端に載せられて家畜は、高い熱と湿度、有毒ガスによって体重減量と屠畜時に肉質が落ちるし、家畜斃死が相当量が運送出荷過程で発生している。
【発明の概要】
【発明が解決しようとする課題】
【０００８】
本発明は、上記した問題点を解決するためのものであり、上部に送風手段と送風排管を装着して内部の空気を隅の方までまんべんなく外部に排出させ、外部空気を強制的に流入排出させるようにして、コンテナ内部の空気を快適に維持し、これにより家畜の運搬時の防疫機能をしながら、家畜の衛生福祉を最適の状態に維持し、家畜の廃死を防止することができるようにするためのものである。
【０００９】
本発明の他の目的は、脱付着が便利な補助多区間吸入棒を装着して、新鮮な吸入空気の分布度を高めることができる運送コンテナ送風装置を提供することにある。
【課題を解決するための手段】
【００１０】
上記の目的を達成するために、本発明の家畜衛生運送コンテナ送風装置は、運送手段と連結され、内部に家畜を収容することができる空間が備えられ、両側下部に第１送風口１１０が開放形成された本体１００、上記本体１００の上端に長さ方向に長く装着され、上記本体１００内部と連通する第２送風口２１０が開放形成された送風通路２００、上記本体１００に装着され、上記送風通路２００と連結される送風手段３００、を含み、上記送風手段３００は、作動時に上記第１送風口１１０と上記第２送風口２１０を介して上記本体１００の内部空気を強制的に送風排出させることにより、上記本体１００に収容された家畜の防疫と衛生状態を快適に維持し、これにより家畜の廃死を防止する。
【００１１】
上記第２送風口２１０は多数からなり、上記送風通路２００の長さ方向に沿って相互離隔配置され、上記送風手段３００方向に行くほど次第に幅が小くなるように形成される。
【００１２】
上記送風手段３００は、上記本体１００の上端中央に設置される。
【００１３】
上記第１送風口１１０に装着されて上記第１送風口１１０を開閉する開閉カバー４００、をさらに含み、上記開閉カバー４００は、上記送風手段３００の作動時に上記第１送風口１１０を開放して上記本体１００内部の濁った空気を強制的に送風されるようにする。
【発明の効果】
【００１４】
以上で説明したような本発明の家畜衛生運送コンテナ送風装置は、次のような効果がある。
【００１５】
上記本体１００の上端中央に、上記送風通路２００と連結されるように上記送風手段３００が装着されることにより、上記第２送風口２１０を介して上記本体１００内部の空気がまんべんなく吸入されて外部に排出され、上記第１送風口１１０を介して外部空気が内部に流入することにより、上記本体１００内部の環境を快適にして家畜運送時に家畜を最上の状態に維持することができるようにする効果が発生する。
【００１６】
上記第２送風口２１０は、上記送風手段３００方向に行くほど幅が次第に小くなるように形成されることにより、後述する上記送風手段３００の作動時に上記本体１００内部の上記送風手段３００と遠い隅の方までまんべんなく送風がなされるようにする効果が発生する。
【図面の簡単な説明】
【００１７】
【図１】本発明の実施例による家畜衛生運送コンテナ送風装置の斜視図である。
【図２】図１のＡ−Ａからみた断面構造図である。
【図３】図２のＢ−Ｂからみた断面構造図である。
【図４】本発明の第２送風口を下部と側面に形成した状態図である。
【図５】本発明の他の実施例のガイド羽根を形成した斜視図である。
【図６】本発明のまた他の実施例の多区間吸入管を形成した使用状態の部分断面図である。
【図７】本発明のまた他の実施例の多区間吸入管を形成した使用状態の部分断面図である。
【発明を実施するための形態】
【００１８】
以下、本発明の望ましい実施例の家畜運送時の福祉及び斃死防止用運送コンテナ送風装置を、添付された図面を参照して詳しく説明する。
【００１９】
本明細書及び請求の範囲に使用された用語や単語は、通常的か辞書的な意味で限定解釈されず、発明者は、自身の発明を最も最善の方法で説明するために用語の概念を適切に定義することができるという原則に立脚して、本発明の技術的思想に合う意味と概念で解釈されなければならない。よって、本明細書に記載された実施例と図面に示された構成は、本発明の最も望ましい一実施例に過ぎず、本発明の技術的思想を全て代弁するものではないため、本出願時点においてこれらを代替することができる多様な均等物と変更例があり得ることを理解すべきものである。
【００２０】
図１は本発明の実施例による家畜衛生運送コンテナ送風装置の斜視図、図２は図１のＡ−Ａからみた断面構造図、図３は図２のＢ−Ｂからみた断面構造図で、図４は本発明の第２送風口を下部と側面に形成した状態図、図５は本発明の他の実施例のガイド羽根を形成した斜視図、図６と図７は本発明のまた他の実施例の多区間吸入管を形成した使用状態の部分断面図である。
【００２１】
図１ないし図４に示された本発明の実施例による家畜衛生運送コンテナ送風装置は、本体１００、送風通路２００、送風手段３００及び開閉カバー４００からなる。
【００２２】
上記本体１００は、略六面体形状のコンテナであり、内部に家畜を収容することができる空間が備えられ、トラックや船舶等の多様な運搬手段に連結されて使用されることができる。
【００２３】
また本体とは、ニワトリ、カモ等の家畜を載せたトラックが道路を走行時に一般人に嫌悪感を与えることを防ぐ天幕または覆い幕等を形成したり、外部の寒風等を防ぐ天幕または覆い幕を含み、特にコンテナボックスとして積み降ろしが便利な両側面と後面が開放されることを含むものである。
【００２４】
このような上記本体１００の左右両側面の下部付近には、外側方向に開放された第１送風口１１０が形成される。
【００２５】
上記第１送風口１１０は、略四角形の形状で多数からなり、上記本体１００の長さ方向に相互一定間隔離隔配置される。
【００２６】
また、図３に示されたように、上記第１送風口１１０の上部には、下方向に開放された保護カバー１２０がそれぞれ装着されることができる。
【００２７】
上記保護カバー１２０は、下方に傾斜して形成され、下端が開放され、上記第１送風口１１０の上側縁を囲むように形成される。
【００２８】
このように上記第１送風口１１０の上部に上記保護カバー１２０が装着されることにより、雨や雪が降る時、上記第１送風口１１０を介して上記本体１００の内部に雨や雪が流入することを遮断し、これにより上記本体１００の内部環境を快適に維持することができる効果が発生する。
【００２９】
一方、上記送風通路２００は、略四角形状の管からなり、上記本体１００の上端の中心部に長さ方向に長く装着される。
【００３０】
勿論、場合に応じて上記送風通路２００は円筒形等、多様な形状からなることができる。
【００３１】
このような上記送風通路２００は、図２に示されたように、左側端が閉鎖されており、右側端には後述する上記送風手段３００が装着され、上記送風手段３００の作動によって上記本体１００内部の空気が吸入されて外部に排出される通路の役割をするようになる。上記送風手段は、コンテナの上部の中央の端に形成して、外部に強く内部空気を排出するように送風ファンとモーターで形成されている。
【００３２】
ここで、上記送風通路２００の下部には、上記本体１００の内部と連通する第２送風口２１０が開放形成される。
【００３３】
上記第２送風口２１０は多数からなり、上記送風通路２００の長さ方向に沿って相互離隔配置される。
【００３４】
また、上記第２送風口２１０は、上記送風手段３００方向に行くほど幅が次第に小くなるように形成される。
【００３５】
このように上記第２送風口２１０は、上記送風手段３００方向に行くほど幅が次第に小くなるように形成されることにより、後述する上記送風手段３００の作動時に上記ｑ本体１００内部の上記送風手段３００と遠い隅の方までまんべんなく送風がなされるようにする効果が発生する。
【００３６】
一方、上記送風手段３００は一般的な大型ファン装置からなり、図２に示されたように、上記本体１００の右側に装着されて上記送風通路２００の右側端と連結される。
【００３７】
さらに具体的には、上記送風手段３００は、図１に示されたように、上記本体１００の後側上端中央に配置される。
【００３８】
このような上記送風手段３００は、上記第２送風口２１０及び上記送風通路２００を介して上記本体１００の内部空気を吸入して外部に排出させ、このとき、上記第１送風口１１０を介して外部の新鮮な空気が内部に流入する。
【００３９】
具体的には、図２及び図３に示されたように、上記送風手段３００が作動すると、上記本体１００の下部に配置された上記第１送風口１１０を介して快適な空気が流入し、上記本体１００内部の濁った空気は上記第２送風口２１０を介して上記送風通路２００に移動して外部に排出される。
【００４０】
ここで、上記第１送風口１１０と上記第２送風口２１０は、上記本体１００の長さ方向に多数配置され、特に上記第２送風口２１０の幅が上記送風手段３００方向に段々小くなるように形成されて上記本体１００の隅の方まで送風がなされる。
【００４１】
このように、上記本体１００の上端中央に上記送風通路２００と連結されるように上記送風手段３００が装着されることにより、上記第２送風口２１０を介して上記本体１００内部の空気がまんべんなく吸入されて外部に排出され、上記第１送風口１１０を介して外部空気が内部に流入することにより、上記本体１００内部の環境を快適にして家畜運送時の家畜を最上の状態に維持することができるようにする効果が発生する。
【００４２】
一方、上記第１送風口１１０には、図３に示されたように、上記開閉カバー４００が装着される。
【００４３】
上記開閉カバー４００は四角形の板形状であり、平常時は上記第１送風口１１０を閉鎖していて、上記送風手段３００の作動時にスライド移動して上記第１送風口１１０を開放させる。
【００４４】
このように上記第１送風口１１０に上記開閉カバー４００が装着されることにより、天気が寒い時、上記第１送風口１１０を閉鎖して外部の冷たい空気が内部に流入することを防止し、送風時の空気の移動量を調節することができるようになる。
【００４５】
図５と図６に示した本発明の他の実施例の運送コンテナ送風装置は、内部の空気を外部に送風するためのものであり、また外部の新鮮な空気が内部の隅々に排出されるようにするために下記のように配列した。
【００４６】
図５に示したように、送風通路２００は、第２送風口２１０の前方または後方に送風のための傾斜角が形成されたガイド羽根２６０をそれぞれ配列して形成した。
【００４７】
上記ガイド羽根２６０は、吸入される空気が傾斜面に沿って外部に排出時に早く排出がなされるように、排出される方向に傾斜面を形成するものだが、ラウンド形態のガイド羽根を形成し外部に排出されるように形成した特徴がある。
【００４８】
図６と図７はカモ、ニワトリ等、多数で積層された箱にまんべんなく空気を循環するために、それぞれの第１送風口１１０に結合及び脱着が便利なように多区間吸入管を設置した特徴がある。
【００４９】
上記多区間吸入管２５０は、パイプ管またはフレキシブル管（柔軟管）を使用するのが望ましい。
【００５０】
上記第１送風口１１０に結合するために、内部に嵌め込み溝１５０が形成された内部ソケット１６０と、上記内部ソケットに脱付着されるように突起１７０が形成された外部ソケット１9０と、上記外部ソケットに結合され外部から吸入される距離が近いほど直径（ｄ，ｄ’ｄ”）が小くなるように配列した多区間吸入管２５０を形成した。
【００５１】
本発明はこれに限定されず、以下の付属請求の範囲の思想及び領域を離脱しない範囲内で、当業者によって多くの形態で変形実施されることができ、したがってこのような変形は、本発明の領域内にあるものと解釈すべきものである。
【図１】
2017507057.tif 000003
【図２】
2017507057.tif 000004
【図３】
2017507057.tif 000005
【図４】
2017507057.tif 000006
【図５】
2017507057.tif 000007
【図６】
2017507057.tif 000008
【図７】
2017507057.tif 000009
【国際調査報告】
2017507057.tif 000010
2017507057.tif 000011
2017507057.tif 000012
2017507057.tif 000013